(57)【特許請求の範囲】
【請求項１】
ボードの裏面に対してスタンド脚がこのボードの裏面からの開き角の調整可能に取り付けられたボードスタンドであって、前記スタンド脚は前記ボードの裏面に取り付けられる取付け体と、この取付け体に対してヒンジによって連結された支持体とを備え、前記取付け体を前記ボードの裏面に取り付けるための樹脂製のクリップは頭部と脚部とを有し、前記取付け体には前記クリップの脚部を挿入可能な係止孔が形成され、前記クリップの脚部を前記ボードの表面側から裏面側に貫通させて前記取付け体の係止孔に挿入することにより、この取付け体とクリップの頭部との間に前記ボードを挟んだ状態でこれらの取付け体とクリップとが取り外し可能に結合されることを特徴としたボードスタンド。
【請求項２】
請求項１記載のボードスタンドであって、クリップの頭部に前記ボードの厚みの差を吸収する方向の弾性を持たせたことを特徴とするボードスタンド。
【発明の詳細な説明】
【０００１】
【発明の属する技術分野】
本発明は、例えばフォトスタンドのようにフレームの裏側に組み付けられるボードスタンドに関する。
【０００２】
【従来の技術】
この種のボードスタンドの一般的な構造が図６に示されている。この図面においてボード４０の裏面にはスタンド脚の取付け体５０が金属製のかしめ式クリップ５２によって取り付けられている。このクリップ５２は元々はオス側とメス側との二部品に分かれており、それらの一方を前記ボード４０の側から差し込み、他方を前記取付け体５０の側から差し込んで互いに結合した後、かしめ用の特殊工具を用いてかしめている。
【０００３】
【発明が解決しようとする課題】
従来のボードスタンドでは前記クリップ５２が二部品であるため、前記ボード４０に対してスタンド脚の取付け体５０を組み付ける作業に手間がかかるとともに、前記クリップ５２をかしめるために特殊な工具が必要となる。またクリップ５２を一度かしめてしまうと、前記ボード４０からスタンド脚の取付け体５０を取り外すことはできない。
【０００４】
請求項１記載の発明の目的は、スタンド脚の取付け体をボードに取り付けるためのクリップを樹脂製とし、ボードとスタンド脚との取り付け作業に特殊な工具を必要とすることなく、ワンタッチで組み付け可能とし、また組み付け後でも必要に応じて取り外すことを可能とすることである。
請求項２記載の発明の目的は、クリップの頭部にもたせた弾性によってボードの厚みの差を吸収可能とすることである。
【０００５】
【課題を解決するための手段】
請求項１記載の発明は、ボードの裏面に対してスタンド脚がこのボードの裏面からの開き角の調整可能に取り付けられたボードスタンドであって、前記スタンド脚は前記ボードの裏面に取り付けられる取付け体と、この取付け体に対してヒンジによって連結された支持体とを備え、前記取付け体を前記ボードの裏面に取り付けるための樹脂製のクリップは頭部と脚部とを有し、前記取付け体には前記クリップの脚部を挿入可能な係止孔が形成され、前記クリップの脚部を前記ボードの表面側から裏面側に貫通させて前記取付け体の係止孔に挿入することにより、この取付け体とクリップの頭部との間に前記ボードを挟んだ状態でこれらの取付け体とクリップとが取り外し可能に結合されることを特徴とする。
【０００６】
この発明によれば、前記クリップを樹脂製とし、このクリップの脚部を前記スタンド脚における取付け体の係止孔に対して取り外し可能に結合する構成であることから、前記ボードに対するスタンド脚の取り付け作業に特殊な工具を必要とせず、作業がワンタッチで済む。また必要に応じて前記取付け体の係止孔とクリップの脚部との結合を外すことにより、ボードからスタンド脚の取付け体を取り外すことができる。
【０００７】
請求項２記載の発明は、請求項１記載のボードスタンドであって、クリップの頭部に前記ボードの厚みの差を吸収する方向の弾性を持たせたことを特徴とする。
これにより、前記クリップの脚部を前記スタンド脚の取付け体の係止孔に挿入し、この取付け体とクリップの頭部との間に前記ボードを挟んだ状態で結合したとき、このボードの厚みに応じて前記クリップの頭部が弾性変形してボードの厚みの差を吸収する。
【０００８】
【発明の実施の形態】
以下、本発明の実施の形態を説明する。
図１はボードスタンドの外観を表した斜視図、図２はスタンド脚１０の一部を表した平面図、図３は図２のＡ−Ａ線断面図である。これらの図面で示すように前記スタンド脚１０は、図１のボード４０に対してクリップ３０により取り付けられる取付け体１２と、この取付け体１２に対してヒンジ２６で連結された支持体２２とを備えている。
【０００９】
前記ヒンジ２６は、図２，３から明らかなように取付け体１２の下部に形成された連結部分１３の箇所と、支持体２２の上端部に形成された凹部２３の箇所とを回動可能に連結した構成となっている。つまり前記取付け体１２の連結部分１３にはその片側面に開放させた状態でスリット２０が形成されており、このスリット２０に対して支持体２２の前記凹部２３に形成されているヒンジピン２４が回動可能に、かつ簡単には外れないようにはめ込まれている。なお前記支持体２２には、前記凹部２３の両側においてストッパー２８が形成されている。このストッパー２８が前記取付け体１２に当たることで、前記ヒンジ２６による取付け体１２と支持体２２との相対的な回動量が規制される。
【００１０】
図４（Ａ）（Ｂ）は前記クリップ３０を表した拡大図である。この図面で示すように前記クリップ３０は、頭部３２と脚部３４とを備えた樹脂製の一体成型品である。図４（Ａ）から明らかなように前記頭部３２の外縁部分は、その肉厚が薄くなっているとともに前記脚部３４の先端に向かって僅かに折れ曲げられている。したがってこの頭部３２の外縁部分は、クリップ３０の軸線方向に関して弾性変形可能である。一方、前記脚部３４の先端部は円錐形状に尖らせた大径部３５になっているとともに、脚部３４における大径部３５と他の部分との段差によって係止部３６が構成されている。
【００１１】
図５は前記取付け体１２をボード４０に取り付けた状態の拡大断面図である。この図面からも明らかなように前記取付け体１２には、その表面から裏面に貫通した係止孔１４が形成されている。この係止孔１４の周縁は二つ割り（図１，２参照）のスリーブ部分１６となっており、このスリーブ部分１６の内周には係止爪１８が形成されている。なお図５で示すように前記ボード４０における前記スタンド脚１０の取り付け箇所には、前記クリップ３０における脚部３４の大径部３５を挿入可能な孔４２があけられている。
【００１２】
前記スタンド脚１０をボード４０に取り付けるには、このボード４０の裏面側にスタンド脚１０の前記取付け体１２を、ボード４０の前記孔４２と取付け体１２の前記係止孔１４とを一致させた状態で配置する。そしてボード４０の表面側から前記クリップ３０の脚部３４を前記孔４２を通じて取付け体１２の係止孔１４に差し込む。このとき、脚部３４の前記大径部３５が係止孔１４における前記二つ割のスリーブ部分１６をその弾性変形によって押し広げながら前記係止爪１８の部分を通過する。
【００１３】
これにより図５で示すように係止孔１４の係止爪１８に前記脚部３４の前記係止部３６が係止し、取付け体１２とクリップ３０の脚部３４とが結合される。したがって前記取付け体１２とクリップ３０の頭部３２との間にボード４０を挟んだ状態となり、このボード４０の裏面にスタンド脚１０が取り付けられたこととなる。このようにスタンド脚１０をボード４０に取り付けた状態において、前記クリップ３０における頭部３２の周縁部はボード４０の表面に接触しており、ボード４０の板厚に応じて弾性変形している。つまり前記頭部３２の周縁部は、その弾性変形によってボード４０の厚みの差を吸収することができる。
【００１４】
前記スタンド脚１０の支持体２２は前記のようにボード４０に取り付けられた取付け体１２に対し、前記ヒンジ２６によって回動させることができる。そしてこのヒンジ２６は前記スリット２０と前記ヒンジピン２４との間の抵抗により、前記ストッパー２８による回動規制の範囲内において任意の回動角で止めることができ、それによってボード４０とスタンド脚１０との開き具合を任意に調整できる。なお前記スリット２０と前記ヒンジピン２４との間の抵抗力を高めてヒンジ２６のがたつきを防止するために、例えばヒンジピン２４の外周に多数の突起を形成してもよい。
【００１５】
前記ボード４０からスタンド脚１０を取り外す必要が生じた場合には、例えばドライバーなどの工具を用いて前記取付け体１２における前記係止孔１４のスリーブ部分１６を押し広げるように弾性変形させることにより、この係止孔１４の係止爪１８とクリップ３０の係止部３６との結合を外す。これによってボード４０からスタンド脚１０の取付け体１２を簡単に取り外すことができる。
【００１６】
以上のように本実施の形態では、前記クリップ３０の脚部３４を前記スタンド脚１０における取付け体１２の係止孔１４に対して取り外し可能に結合できるため、前記ボード４０に対するスタンド脚１０の取り付け作業に特殊な工具を必要とせず、また必要に応じて前記のように取付け体１２の係止孔１４とクリップ３０の脚部３４との結合を外すこともきる。しかも前記クリップ３０の頭部３２にもたせた弾性（撓み）によって前記ボード４０の厚みの差を吸収できる。
【図面の簡単な説明】
【図１】ボードスタンドの外観を表した斜視図。
【図２】スタンド脚の一部を表した平面図。
【図３】図１のＡ−Ａ線断面図。
【図４】クリップを表した拡大図。
【図５】スタンド脚の取付け体をボードに取り付けた状態の拡大断面図。
【図６】従来のボードスタンドの構造を表した断面図。
【符号の説明】
１０  スタンド脚
１２  取付け体
１４  係止孔
２２  支持体
２６  ヒンジ
３０  クリップ
３２  頭部
３４  脚部
４０  ボード
【図１】
0003839111.tif 000002
【図２】
0003839111.tif 000003
【図３】
0003839111.tif 000004
【図４】
0003839111.tif 000005
【図５】
0003839111.tif 000006
【図６】
0003839111.tif 000007